(57)【特許請求の範囲】
【請求項１】
眼鏡のフレーム部に設けられ、内側に開口を有し、外側に凹み部を有する取付け部と、
前記開口に挿入されて、前記取付け部に取り付けるための爪部が設けられた鼻パッドと、
を備え、
前記鼻パッドは、前記爪部が前記取付け部の開口に挿入されて、前記開口に引っ掛かることで前記取付け部に固定され、
前記凹み部は、前記開口を挟んで対向する位置に設けられ、前記爪部は、前記凹み部が設けられた方向に折り曲げられる
ことを特徴とする眼鏡。
【請求項２】
前記凹み部は、前記取付け部の外側の中央部分に設けられる
ことを特徴とする請求項１に記載の眼鏡。
【請求項３】
前記取付け部は、金属により構成される
ことを特徴とする請求項１または２に記載の眼鏡。
【請求項４】
前記取付け部は、前記フレーム部に対して、溶接、ネジ留め、埋め込み、または接着にて取り付けられる
ことを特徴とする請求項１〜３のいずれか１項に記載の眼鏡。
【請求項５】
前記フレーム部は、金属または樹脂で構成される
ことを特徴とする請求項１〜４のいずれか１項に記載の眼鏡。
【請求項６】
前記フレーム部が樹脂で構成される場合、前記取付け部を取り付けるための台座が前記フレーム部に設けられる
ことを特徴とする請求項５に記載の眼鏡。
【発明の詳細な説明】
【技術分野】
【０００１】
本発明は、眼鏡に関し、特に眼鏡の鼻パッドの取り付け構造に関する。
【背景技術】
【０００２】
従来より、眼鏡における鼻当てパッド（以下、鼻パッドとする）のメガネフレームに対する取り付け構造が提案されている。例えば、特許文献１では、突出した留め金延設端部により支持脚端部の凹部を抱持する鼻当てパット取り付け構造が開示されている。また、特許文献２では、樹脂製メガネフレームのフロントフレームに止着穴を形成し、鼻当てパットに設けた止着片を上記止着穴に嵌めて取り付ける鼻当てパット取り付け構造が開示されている。さらに、特許文献３では、樹脂製メガネのフロント部がリムから枝分れして脚を延ばし、脚先端に鼻当てパットを取り付ける鼻当てパット取り付け構造が開示されている。
【先行技術文献】
【特許文献】
【０００３】
【特許文献１】特開２００５−９９６６４号公報
【特許文献２】実登第３０６１１５６号公報
【特許文献３】実登第３０６０６６７号公報
【発明の概要】
【発明が解決しようとする課題】
【０００４】
しかしながら、特許文献１で開示されている鼻パッドの取り付け構造では、鼻パッドを取り付ける取付け部分の形状が複雑で製造（取り付け）が容易ではない。すなわち、複数のパーツを組み合わせる必要があり、位置合わせ等の工程が多くなってしまう。また、眼鏡を装着または脱着する際の取り付け部分に対する外力が断続的に加わることで、鼻パッドの取り付けが緩み、取り外れ易くなってしまう。さらに、鼻パッドは消耗品であるため、その取り換えをする場合がある。店舗等で工具を用いて鼻パッドの取り換えを行う場合、特許文献１で開示される鼻パッドでは、取り換えの際に鼻パッドの取り付け構造が複雑で、容易に取り換えることが難しい。
【０００５】
特許文献２や特許文献３では、樹脂による鼻パッドの取り付けが開示されているが、凹凸部分が細かい寸法となってしまうため、製造が難しく、眼鏡を装着または脱着する際の少しの外力などが加わることで容易に取り付け部分が緩んでしまう恐れがある。また、それぞれの構成を金属材料に適用することも難しい。
【０００６】
本発明は、このような状況を鑑みてなされたものであり、取り付けが容易であって、眼鏡の装着または脱着等による外力等により取り外れにくく、かつ鼻パッド交換の際には交換のし易い鼻パッドの取り付け構造を有する眼鏡を提供することを目的とする。
【課題を解決するための手段】
【０００７】
上記課題を解決するために、本発明の一実施形態に係る眼鏡は、眼鏡のフレーム部に設けられ、内側に開口を有し、外側に凹み部を有する取付け部と、前記開口に挿入されて、前記取付け部に取り付けるための爪部が設けられた鼻パッドと、を備え、前記鼻パッドは、前記爪部が前記取付け部の開口に挿入されて、前記開口に引っ掛かることで前記取付け部に固定され、前記凹み部は、前記開口を挟んで対向する位置に設けられ、前記爪部は、前記凹み部が設けられた方向に折り曲げられることを特徴とする。
【発明の効果】
【０００８】
本発明によれば、取り付けが容易であって、眼鏡の装着または脱着等による外力等により取り外れにくく、かつ鼻パッド交換の際には交換のし易い鼻パッドの取り付け構造を有する眼鏡を提供することができる。
【図面の簡単な説明】
【０００９】
【図１】本発明の一実施形態に係る眼鏡を示す図である。
【図２】図１に示す鼻パッド（Ａ部）の拡大図である。
【図３】取付け部に凹み部を設けた鼻パッド構造を示す図である。
【図４】第２実施形態に係る鼻パッド構造を示す図である。
【図５】第３実施形態に係る鼻パッド構造を示す図である。
【図６】第４実施形態に係る鼻パッド構造を示す図である。
【図７】第５実施形態に係る鼻パッド構造を示す図である。
【図８】第６実施形態に係る鼻パッド構造を示す図である。
【発明を実施するための形態】
【００１０】
本発明の一実施形態に係る眼鏡について、図面を参照して説明する。尚、以下に示す実施例は本発明の眼鏡における好適な具体例であり、施術的に好ましい種々の限定を付している場合もあるが、本発明の技術範囲は、特に本発明を限定する記載が無い限り、これらの態様に限定されるものではない。また、以下に示す実施形態における構成要素は適宜、既存の構成要素等との置き換えが可能であり、かつ、他の既存の構成要素との組合せを含む様々なバリエーションが可能である。従って、以下に示す実施形態の記載をもって、特許請求の範囲に記載された発明の内容を限定するものではない。
【００１１】
（第１実施形態）
まず、図１を参照して、本実施形態に係る眼鏡について説明する。眼鏡１には、レンズが挿入されるフレーム部２と、眼鏡１を装着した際に鼻に当接する鼻パッド３と、鼻パッド３をフレーム部２に取り付ける取付け部４が設けられる。フレーム部２は、例えば、チタンなどの金属や、樹脂で構成されてよく、その他の材料で構成されてもよい。鼻パッド３は、シェル（貝）や樹脂（例えば、ＣＰやアセテートなど）、金属（例えば、チタンなど）で構成されてよく、その他の材料で構成されてもよい。取付け部４は、例えば、金属で構成される場合、フレーム部に対して溶接（融接、圧接、ろう接）または接着などにて取り付けられてもよく、ネジ留めによる固定や、フレーム部２と埋め込みにより一体に成形されてもよい。また、金属に限定することなく、樹脂やその他の材料であってもよい。
【００１２】
具体的には、例えば、フレーム部２が金属で、かつ取付け部４が金属である場合、溶接（ろう接）やネジ留め、接着もしくは埋め込みにより一体に形成されてよい。また、フレーム部２が樹脂で、かつ取付け部４が金属である場合、フレーム部２の樹脂に取付け部４を取り付けるための台座（金属や樹脂など）を設けて（例えば、組み込んで）、溶接、接着等で取り付けてもよい。さらに、フレーム部２が樹脂で、かつ取付け部４が樹脂である場合、溶接での取り付けや一体として成形してもよい。
【００１３】
次に、図２を参照して、本実施形態に係る鼻パッド３の取り付け構造について説明する。図２は、図１に示す眼鏡１の鼻パッド３（Ａ部）を拡大した図である。まず、図２（Ａ）に示すように、取付け部４の開口５に鼻パッド３に設けられた爪部６が挿入されて貫通すると、図２（Ｂ）に示すような状態となる。次に、図２（Ｃ）に示すように爪部６を開口５の外側に向かって折り曲げることで、図２（Ｄ）に示すように、開口５に挿入された爪部６が開口５に引っ掛かり、取付け部４に鼻パッド３が固定される。
【００１４】
本実施形態において、爪部６は、折り曲げが可能な金属で構成されるが、これに限定することなく、開口５の外側に向かって、折り曲げが可能な折り曲げ構造を有する材料であればよい。また、爪部６は、鼻パッド３と、一体として成形してもよく、爪部６が鼻パッド３に組み込むような構成としてもよい。
【００１５】
本実施形態では、取付け部４の開口５が角形であるが、これに限定することなく、丸型や楕円など、鼻パッド３に設けられた爪部６が挿入されればよい。また、本実施形態では、爪部６が半円形であるが、これに限定することなく、長方形や楕円形など、開口５に挿入することができ、開口５の外側に向かって折り曲げられる材料であればよい。
【００１６】
また、本実施形態では、鼻パッド３に爪部６が２つ設けられ、開口５の外側に向かって、それぞれ異なる方向で折り曲げられることにより、開口５に引っ掛かり、鼻パッド３を取付け部４に固定する。なお、爪部６の折り曲げ方向は、本実施形態に限定することなく、開口５の外側に向かって折り曲げられればよい。つまり、本実施形態では、開口５を正面とした時、２つの爪部６が図中の左右方向に開くことで、爪部６が開口５に引っ掛かっているが、これに限定することなく、例えば、９０度異なる方向（図中の上下方向）に開くことで、爪部６が開口５に引っ掛かる構成としてもよい。
【００１７】
なお、鼻パッドの爪部を折り曲げた際に、取付け部４と鼻パッド３との隙間を無くす場合、強固に固定される。一方、該隙間の間隔を開ける場合、眼鏡を装着した際の鼻パッド３の位置を変えることができる。つまり、間隔の調節をすることで、顔の大きさや鼻の高さに合わせた鼻パッド３の位置の調節が可能となる。
【００１８】
従って、本実施形態では、取付け部４の開口５に鼻パッド３の爪部６を挿入して、外側に折り曲げて引っ掛けることで、鼻パッド３を取付け部４に固定している。この時、爪部６が金属で構成される場合、爪部６が折り曲がることで、塑性変形し、元に戻ることなく引っ掛かった構造のままでいるので眼鏡の装着または脱着等による外力等により取り外れにくい鼻パッドの取り付け構造を有する眼鏡を提供することができる。
【００１９】
なお、眼鏡の鼻パッドは、消耗品であり、必要に応じて交換する必要がある。この場合、上記の構成のみでは、通常使用する際の眼鏡の装着または脱着等により取り外れにくい構造であるが、店舗等において容易に鼻パッドの交換をすることが望ましい。そこで、図３に示すように、取付け部４の外側の中央部分が凹んだ凹み部（くびれ形状）を有することで、鼻パッド３を交換する際に、所定の工具（ペンチなど）を用いて、容易に交換が可能となる。すなわち、鼻パッド３が取り付けられた状態から鼻パッド３を交換する際には、ペンチなどの工具で折り曲げられた爪部６を外側から挟み、凹み部に工具の先端部がはまる。そのまま爪部６を挟み込んでいくことで、爪部６が開口５に挿入された時と同じ状態（爪部６が折り曲げられる前の状態）になる。このように、この凹み部を設けることで、店舗等において容易に鼻パッドの交換が可能となる。
【００２０】
以上、本実施形態によれば、取り付けが容易であって、眼鏡の装着または脱着等による外力等により取り外れにくく、かつ鼻パッド交換の際には交換のし易い鼻パッドの取り付け構造を有する眼鏡を提供することができる。
【００２１】
（第２実施形態）
次に、図４を参照して、本実施形態に係る鼻パッド３の取り付け構造について説明する。第１実施形態では、爪部６を折り曲げるだけの構造である。これに対して、本実施形態では、爪部６に引っ掛け部７を設けることで、より取り外れにくい鼻パッドの取り付け構造となる。具体的には、図４に示すように、引っ掛け部７が爪部６の先端に設けられている。そして、開口５に挿入された爪部６を開口５の外側に向かって折り曲げられると、引っ掛け部７が取付け部４に引っ掛かる。
【００２２】
以上、本実施形態によれば、爪部の先端に引っ掛け部を設けることで、第１実施形態よりも、眼鏡の装着または脱着等による外力等により取り外れにくい鼻パッドの取り付け構造を有する眼鏡を提供することができる。
【００２３】
（第３実施形態）
次に、図５を参照して、本実施形態に係る鼻パッド３の取り付け構造について説明する。第１実施形態では、開口５が１つ設けられているが、本実施形態では、スリット状に２つの開口５が設けられる。具体的には、図５に示すように、爪部６が２つ設けられた構成とし、スリット状の開口５にそれぞれ１つずつ挿入され、開口５の外側に向かって折り曲げられることで、鼻パッド３が取付け部４に固定される。この時、各開口５に挿入された爪部６の折り曲げ方向は、本実施形態に限定することなく、折り曲げが可能な方向であればよい。つまり、爪部６の折り曲げ方向が、互いに異なる方向であってもよく、同じ方向であってもよい。従って、取り付けが容易であって、かつ眼鏡の装着または脱着等による外力等により取り外れにくい鼻パッドの取り付け構造を有する眼鏡を提供することができる。
【００２４】
（第４実施形態）
次に、図６を参照して、本実施形態に係る鼻パッド３の取り付け構造について説明する。第１実施形態では、２つの爪部６が開口５の外側に向かって折り曲げられることで、鼻パッド３を固定している。これに対して、本実施形態では、爪部６は、１つであり、中が空洞になっている構造を有する。そして、図６に示すように、爪部６を開口５に挿入し、その後、爪部６を挿入した方向と逆の方向から力を加えることで、爪部６が開口５の外側に向かって折り曲げられ、鼻パッド３が取付け部４に固定される。つまり、爪部６の空洞になっている部分をつぶすことで、爪部６が開口５の外側に向かって折り曲げられ、開口５に爪部６が引っ掛かり、鼻パッド３が固定される。従って、取り付けが容易であって、かつ眼鏡の装着または脱着等による外力等により取り外れにくい鼻パッドの取り付け構造を有する眼鏡を提供することができる。
【００２５】
（第５実施形態）
次に、図７を参照して、本実施形態に係る鼻パッド３の取り付け構造について説明する。第１実施形態では、爪部６が開口５の外側に向かって折り曲げられることで、引っ掛かり、鼻パッド３が取付け部４に固定される。これに対して本実施形態では、鼻パッド３または爪部６を回転させることで、開口５に引っ掛けて固定する。
【００２６】
具体的には、図７（Ａ）では、取付け部４に凹部８が設けられる。まず、鼻パッド３の爪部６を開口５に挿入し、そして、鼻パッド３を９０度回転させて、爪部６が凹部８に嵌合することで、爪部６が開口５に引っ掛かり、鼻パッド３が取付け部４に固定される。図７（Ｂ）では、爪部６が回転可能に鼻パッド３に設けられる。まず、鼻パッド３の爪部６を開口５に挿入し、そして、爪部６を９０度回転させて、爪部６が開口５に引っ掛かり、鼻パッド３が取付け部４に固定される。従って、取り付けが容易であって、かつ眼鏡の装着または脱着等による外力等により取り外れにくい鼻パッドの取り付け構造を有する眼鏡を提供することができる。
【００２７】
（第６実施形態）
次に、図８を参照して、本実施形態に係る鼻パッド３の取り付け構造について説明する。第１実施形態では、爪部６が開口５の外側に向かって折り曲げられることで、引っ掛かり、鼻パッド３が取付け部４に固定される。これに対して、本実施形態では、開口５の形状は円形または楕円形である。爪部６は、開口５に挿入される方向から見ると円形（または楕円形）であり、鼻パッド３に近い部分が開口５よりも大きく、鼻パッド３から離れた部分が開口５よりも小さく構成される。
【００２８】
従って、図８に示すように、爪部６を、開口５よりも小さい部分から、開口５に挿入して、爪部６の開口５よりも大きい部分が挿入され、貫通した状態となると、開口５に引っ掛かり、鼻パッド３が取付け部４に固定される。従って、本実施形態では、第１実施形態と異なり、爪部６を折り曲げるという製造工程を省略することができる。
【００２９】
以上、本実施形態によれば、第１実施形態よりも簡易な方法で取り付けが可能で、かつ眼鏡の装着または脱着等による外力等により取り外れにくい鼻パッドの取り付け構造を有する眼鏡を提供することができる。
【符号の説明】
【００３０】
１    眼鏡
２    フレーム部
３    鼻パッド
４    取付け部
５    開口
６    爪部
【要約】
【課題】取り付けが容易であって、眼鏡の装着または脱着等による外力等により取り外れにくく、かつ鼻パッド交換の際には交換のし易い鼻パッドの取り付け構造を有する眼鏡を提供する。
【解決手段】この眼鏡は、眼鏡１のフレーム部２に設けられ、内側に開口５を有し、外側に凹み部を有する取付け部４と、開口５に挿入されて、取付け部４に取り付けるための爪部６が設けられた鼻パッド３と、を備える。鼻パッド３は、爪部６が取付け部４の開口５に挿入されて、開口５に引っ掛かることで取付け部４に固定される。
【選択図】図２【図１】
0006039851.tif 000002
【図２】
0006039851.tif 000003
【図３】
0006039851.tif 000004
【図４】
0006039851.tif 000005
【図５】
0006039851.tif 000006
【図６】
0006039851.tif 000007
【図７】
0006039851.tif 000008
【図８】
0006039851.tif 000009